(57)【要約】【課題】使用者が排尿された領域と排尿されていない領域を容易に区別でき、シートの交換時期を把握し易いペット用吸収性シートを提供する。【解決手段】ペット用吸収性シート(10)は、厚さ方向に直交する第１方向(D1)及び第２方向(D2)と、表面側に配置される表面シート(12)と、裏面側に配置される裏面シート(14)と、表面シートと裏面シートとの間に設けられた吸収体(20)と、表面シートの裏面側に配置され、かつ表面シートの表面側から視認可能な着色部(80)と、を有する。吸収体と重なる領域には、着色部が複数配置された着色領域(R1)と、第１方向における着色領域の間において着色部が配置されていない非着色領域(R2)と、が設けられている。非着色領域は、吸収体の第２方向の全域に設けられている。【選択図】図１
2020028230.tif 000002
【特許請求の範囲】
【請求項１】
厚さ方向、前記厚さ方向に直交する第１方向、及び前記厚さ方向及び前記第１方向に直交する第２方向と、
表面側に配置される表面シートと、
裏面側に配置される裏面シートと、
前記表面シートと前記裏面シートとの間に設けられた吸収体と、
前記表面シートの裏面側に配置され、かつ前記表面シートの表面側から視認可能な着色部と、を有するペット用吸収性シートであって、
前記吸収体と重なる領域には、前記着色部が複数配置された着色領域と、前記第１方向における前記着色領域の間において前記着色部が配置されていない非着色領域と、が設けられており、
前記非着色領域は、前記吸収体の前記第２方向の全域に設けられている、ペット用吸収性シート。
【請求項２】
前記非着色領域は、前記吸収体の前記第１方向の中心を跨いでいる、請求項１に記載のペット用吸収性シート。
【請求項３】
前記非着色領域の前記第１方向の長さは、前記着色部の前記第１方向の長さよりも長い、請求項１又は請求項２に記載のペット用吸収性シート。
【請求項４】
前記非着色領域の前記第１方向の長さは、各着色領域の前記第１方向の長さよりも長い、請求項１から請求項３のいずれか１項に記載のペット用吸収性シート。
【請求項５】
前記吸収体と重なる領域には、前記着色領域の前記第１方向の外側において、前記吸収体の前記第２方向の全域に亘って前記着色部が配置されていない第２非着色領域が設けられている、請求項１から請求項４のいずれか１項に記載のペット用吸収性シート。
【請求項６】
前記着色部は、第１色によって着色された第１着色部と、前記第１色と異なる第２色によって着色された第２着色部と、を有しており、
一方の前記着色領域における第１着色部に対する前記第２着色部の面積比率は、他方の前記着色領域における第１着色部に対する前記第２着色部の面積比率と異なる、請求項１から請求項５のいずれか１項に記載のペット用吸収性シート。
【請求項７】
一方の前記着色領域の前記着色部と、一方の前記着色部を通り、かつ前記第１方向に沿って延びる任意の直線上に配置された他方の前記着色領域の前記着色部と、は、色又は形状の少なくとも一方が異なる、請求項１から請求項６のいずれか１項に記載のペット用吸収性シート。
【発明の詳細な説明】
【技術分野】
【０００１】
本発明は、ペットの排泄物、例えば尿を吸収するペット用吸収性シートに関する。
【背景技術】
【０００２】
ペットの排泄物、例えば尿を吸収するペット用吸収性シートが知られている（下記の特許文献１参照）。特許文献１に記載されたペット用吸収性シートは、液不透過性の裏面シートと、液透過性の表面シートと、裏面シートと表面シートとの間に位置する吸収体と、を有する。表面シートの下方には、デザインが施されている。当該デザインは、吸収体の全体に亘って格子状に配置され、表面シートを介して視認可能に構成されている。
【先行技術文献】
【特許文献】
【０００３】
【特許文献１】特開２０１２−２９６２５号公報
【発明の概要】
【発明が解決しようとする課題】
【０００４】
一般的に、デザインが付されたペット用吸収シートは、デザインが付されていないペット用吸収性シートと比較して、尿が目立ち難くなり、尿の隠蔽性が向上する。特許文献１のペット用吸収性シートは、吸収体の全体に亘って尿の隠蔽性が向上する。
【０００５】
しかし、ペットによっては、吸収体の全域に亘って満遍なく排尿せずに、一定の領域のみに偏って排尿することがある。一定の領域のみしか使用されていないペット用吸収性シートは、廃棄されずに、向きを変えて継続して使用されることがある。しかし、特許文献１のように、吸収体の全体に亘って尿の隠蔽性が高いと、使用者は、排尿された領域と排尿されていない領域を区別し難く、シートの交換時期を把握し難いことがあった。
【０００６】
よって、使用者が排尿された領域と排尿されていない領域を容易に区別でき、シートの交換時期を把握し易いペット用吸収性シートが望まれる。
【課題を解決するための手段】
【０００７】
厚さ方向、前記厚さ方向に直交する第１方向、及び前記厚さ方向及び前記第１方向に直交する第２方向と、表面側に配置される表面シートと、裏面側に配置される裏面シートと、前記表面シートと前記裏面シートとの間に設けられた吸収体と、前記表面シートの裏面側に配置され、かつ前記表面シートの表面側から視認可能な着色部と、を有するペット用吸収性シートであって、前記吸収体と重なる領域には、前記着色部が複数配置された着色領域と、前記第１方向における前記着色領域の間において前記着色部が配置されていない非着色領域と、が設けられており、前記非着色領域は、前記吸収体の前記第２方向の全域に設けられている。
【図面の簡単な説明】
【０００８】
【図１】第１実施形態に係るペット用吸収性シートの排泄面側から見た平面図である。
【図２】図１に示すＡ−Ａ線に沿ったペット用吸収性シートの模式的断面図である。
【図３】図１に示すＢ部分の拡大平面図である。
【図４】第２実施形態に係るペット用吸収性シートの排泄面側から見た平面図である。
【０００９】
（１）実施形態の概要
本明細書及び添付図面の記載により、少なくとも以下の事項が明らかとなる。
一態様に係るペット用吸収性シートは、厚さ方向、前記厚さ方向に直交する第１方向、及び前記厚さ方向及び前記第１方向に直交する第２方向と、表面側に配置される表面シートと、裏面側に配置される裏面シートと、前記表面シートと前記裏面シートとの間に設けられた吸収体と、前記表面シートの裏面側に配置され、かつ前記表面シートの表面側から視認可能な着色部と、を有するペット用吸収性シートであって、前記吸収体と重なる領域には、前記着色部が複数配置された着色領域と、前記第１方向における前記着色領域の間において前記着色部が配置されていない非着色領域と、が設けられており、前記非着色領域は、前記吸収体の前記第２方向の全域に設けられている。
【００１０】
ペットによっては、吸収体の全域に亘って満遍なく排尿せずに、一定の領域（例えば、一方の着色領域）のみに偏って排尿することがある。このとき、他の領域（例えば、他方の着色領域）には、排尿されないか、排尿量が少なくなる。使用時には、当該着色領域の着色部によって尿を隠蔽できる。また、交換時には、多く排尿された一方の着色領域と、少なく排尿された他方の着色領域と、を見比べる。このとき、非着色領域の両側に着色領域が設けられており、一方の着色領域と他方の着色領域は、非着色領域によって分断される。非着色領域を挟んだ両側の着色領域を比較することで、両側の着色領域を比較し易くなる。よって、使用者は、一方の着色領域のみが使用され、向きを変える作業を行うべきであるのか、両方の着色領域が使用され、交換作業を行うべきであるのかを容易に把握できる。また、着色部が配置されていない非着色領域が設けられているため、当該非着色領域では、尿の跡が着色部によって隠蔽されにくい。よって、使用者は、排尿がペット用吸収性シートになされたか否かをも容易に把握できる。
【００１１】
好ましい一態様によれば、前記非着色領域は、前記吸収体の第１方向の中心を跨いでよい。
【００１２】
吸収体の第１方向の中心に非着色領域が設けられている。非着色領域が目立ちやすくなり、使用者は、非着色領域を容易に把握し、シートの交換時期をより容易に把握できる。
【００１３】
好ましい一態様によれば、前記非着色領域の前記第１方向の長さは、前記着色部の前記第１方向の長さよりも長くてよい。
【００１４】
着色部の第１方向の長さよりも非着色領域の前記第１方向の長さが長いため、着色部間の間隔と非着色領域を区別し易くなる。よって、非着色領域によって両側の着色領域を分断する効果をより得やすい。
【００１５】
好ましい一態様によれば、前記非着色領域の前記第１方向の長さは、各着色領域の前記第１方向の長さよりも長くてよい。
【００１６】
非着色領域の第１方向の長さが着色領域の第１方向の長さよりも長いため、非着色領域によって各着色領域を区別する効果をより得やすい。
【００１７】
好ましい一態様によれば、前記吸収体と重なる領域には、前記着色領域の前記第１方向の外側において、前記吸収体の前記第２方向の全域に亘って前記着色部が配置されていない第２非着色領域が設けられてよい。
【００１８】
着色領域を挟んだ両側に、非着色領域と第２非着色領域が設けられる。着色領域の着色部がより目立ちやすくなり、両側の着色領域の対比をより行い易くなる。
【００１９】
好ましい一態様によれば、前記着色部は、第１色によって着色された第１着色部と、前記第１色と異なる第２色によって着色された第２着色部と、を有しており、一方の前記着色領域における第１着色部に対する前記第２着色部の面積比率は、他方の前記着色領域における第１着色部に対する前記第２着色部の面積比率と異なってよい。
【００２０】
一方の着色領域と他方の着色領域とで第１着色部に対する第２着色部の面積比率が異なるため、使用者は、色の構成比率の違いによって一方の着色領域と他方の着色領域を区別でき、両側の着色領域の対比を行い易くなる。
【００２１】
好ましい一態様によれば、一方の前記着色領域の前記着色部と、一方の前記着色部を通り、かつ前記第１方向に沿って延びる任意の直線上に配置された他方の前記着色領域の前記着色部と、は、色又は形状の少なくとも一方が異なってよい。
【００２２】
使用者が一方の着色領域と他方の着色領域を比較する際は、第１方向に視線を動かして、一方の着色領域と他方の着色領域を交互に視認する。このとき、第１方向に隣り合う着色部が異なるため、使用者は、着色部の色や形状の違いによって一方の着色領域と他方の着色領域を区別でき、両側の着色領域の対比を行い易くなる。
【００２３】
（２）ペット用吸収性シートの構成
以下、図面を参照して、実施形態に係るペット用吸収性シートについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２４】
本明細書において、「ペット」は、脊椎動物や無脊椎動物を広く包含し、典型的には、猫、犬、ウサギ、ハムスターなどの愛玩動物を含む。本実施の形態のペット用吸収性シートは、猫用の吸収性シートである。
【００２５】
図１は、第１実施形態に係るペット用吸収性シートの排泄面側から見た状態の平面図である。図２は、図１に示すＡ−Ａ線に沿ったペット用吸収性シートの模式的断面図である。図３は、図１のＢ部分の拡大平面図である。ペット用吸収性シート１０は、概して平坦なシートである。ペット用吸収性シート１０の一方の面は、ペットの排泄物を受ける排泄面である。本実施の形態においては、排泄面を構成する面を表面１０１とし、非排泄面を構成する面を裏面１０２として説明する。図３において、厚さ方向Ｔにおける表面側Ｔ１と裏面側Ｔ２を示す。
【００２６】
ペット用吸収性シートは、厚さ方向Ｔと直交する第１方向Ｄ１及び第２方向Ｄ２を有する。第１方向Ｄ１と第２方向Ｄ２は、互いに直交する。第１方向Ｄ１と第２方向Ｄ２は、平面方向に延びる方向である。本実施の形態の第１方向Ｄ１は、平面視における長手方向であり、第２方向Ｄ２は、長手方向に直交する幅方向である。なお、変形例において、第１方向Ｄ１は、平面視における幅方向であって、第２方向Ｄ２は、長手方向であってよい。
【００２７】
ペット用吸収性シート１０は、表面側Ｔ１に配置される表面シート１２と、裏面側Ｔ２に配置される裏面シート１４と、吸収体２０と、を有する。吸収体２０は、表面シート１２と裏面シート１４との間に設けられている。
【００２８】
表面シート１２は、ペットの排泄物のような液体を透過する透液性シートであってよい。透液性シートは、例えば透液性を有する不織布、又は開口フィルムによって構成されていてよい。裏面シート１４は、ペットの排泄物のような液体を透過しない不透液性シートであってよい。裏面シート１４は、特に制限されないが、例えば樹脂フィルムシートによって構成されていてよい。本実施の形態の裏面シート１４は、裏面シート１４の全体が着色されている。裏面シート１４は、後述する第１色又は第２色によって着色されていてもよい。
【００２９】
裏面シート１４の一部は、吸収体２０よりも外側へ延びている。ペット用吸収性シート１０の外周部１８に配置された裏面シートの着色部は、表面側Ｔ１から裏面シート１４が視認可能であり、本発明における「外周着色部」を構成する。外周着色部は、吸収体の周囲において表面シート１２の表面側から視認可能である。使用者は、外周部１８に位置する裏面シート１４を、表面シート１２を介して視認可能である。
【００３０】
吸収体２０は、吸収コア３０と、吸収コア３０を包むコアラップ３３と、を含んでいてよい。コアラップ３３は、吸収コア３０の表面側Ｔ１を覆う第１コアラップ３３ａと、吸収コア３０の裏面側Ｔ２を覆う第２コアラップ３３ｂと、を含んでいてよい。
【００３１】
吸収コア３０は、特に限定されないが、パルプのような親水性繊維層、及び高吸収性ポリマー（ＳＡＰ）、又はこれらの組合せを含んでいてよい。コアラップ３３は、特に限定されないが、例えば透液性のティッシュから構成することができる。
【００３２】
ペット用吸収性シート１０は、吸収体２０と重なる領域において表面シート１２の表面側Ｔ１から視認可能な着色部８０を有する。着色部８０は、表面シート１２の裏面側Ｔ２に配置されている。本実施の形態の着色部８０は、第１コアラップ３３ａの表面側Ｔ１の面に印刷されている。なお、変形例において、着色部８０は、表面シート１２の裏面側の面に設けられていてもよいし、吸収コア３０の表面側Ｔ１の面に設けられていてもよいし、表面シート１２と吸収体２０の間にセカンドシートを設け、当該セカンドシートの表面側Ｔ１の面に設けられていてもよい。
【００３３】
着色部８０は、使用対象のペットを指標するペット図柄８１と、ペット以外を示す補助図柄８４と、を有してよい。ペット図柄８１は、ペットの顔を示す柄のみならず、ペットの身体を示す柄や、好物を示す柄を含む概念である。補助図柄８４は、ペット以外を示す柄であり、ハート柄、星柄など、任意の柄であってよい。
【００３４】
ペット図柄８１の第１方向Ｄ１の最大寸法は、補助図柄８４の第１方向Ｄ１の最大寸法よりも大きくてよい。また、ペット図柄８１の第２方向Ｄ２の最大寸法は、補助図柄８４の第２方向Ｄ２の最大寸法よりも大きくてよい。補助図柄８４に対してペット図柄８１が目立ちやすく、使用者は、ペット図柄８１を視認することによって使用対象のペットを容易に把握できる。使用者は、ペット図柄８１によって使用対象のペットである猫を認識し易く、複数の使用対象のペットがいる場合であっても、使用対象を間違える不具合を抑制できる。
【００３５】
ペット図柄の数は、図柄全体の数に対する５０％以上であってよい。図柄全体において第１図柄がよりも目立ちやすく、使用者は、第１図柄を視認することによって使用対象のペットを容易に把握できる。また、ペット図柄８１の数は、補助図柄８４の数以上であってよい。補助図柄８４に対してペット図柄８１が目立ちやすく、使用者は、ペット図柄を視認することによって使用対象のペットを容易に把握できる。
【００３６】
ペット用吸収性シート１０の吸収体と重なる領域には、着色部８０が複数配置された着色領域Ｒ１と、第１方向Ｄ１における着色領域Ｒ１の間において着色部８０が配置されていない非着色領域Ｒ２と、が設けられてよい。着色領域Ｒ１及び非着色領域Ｒ２は、吸収体２０の第２方向Ｄ２の全域に設けられている。非着色領域Ｒ２は、吸収体２０の第２方向Ｄ２の全域に亘っていずれの着色部８０も設けられていない領域である。着色領域Ｒ１は、吸収体２０の第２方向Ｄ２に延びる任意の仮想線上においていずれかの着色部８０が設けられた領域である。非着色領域Ｒ２は、第１方向Ｄ１において着色領域Ｒ１に挟まれている。着色領域Ｒ１及び非着色領域Ｒ２のいずれも、平面視にて、吸収体２０の吸収コア３０に重なっている。
【００３７】
ペットによっては、吸収体の全域に亘って満遍なく排尿せずに、一定の領域（例えば、一方の着色領域Ｒ１）のみに偏って排尿することがある。このとき、他の領域（例えば、他方の着色領域Ｒ１）には、排尿されないか、排尿量が少なくなる。使用時には、当該着色領域Ｒ１の着色部８０によって尿を隠蔽できる。また、交換時には、多く排尿された一方の着色領域Ｒ１と、少なく排尿された他方の着色領域Ｒ１と、を見比べる。このとき、非着色領域Ｒ２の両側に着色領域Ｒ１が設けられており、一方の着色領域Ｒ１と他方の着色領域Ｒ１は、非着色領域Ｒ２によって分断される。非着色領域Ｒ２を挟んだ両側の着色領域Ｒ１を比較することで、両側の着色領域Ｒ１を比較し易くなる。よって、使用者は、一方の着色領域Ｒ１のみが使用され、向きを変える作業を行うべきであるのか、両方の着色領域Ｒ１が使用され、交換作業を行うべきであるのかを容易に把握できる。
【００３８】
また、着色部８０が配置されていない非着色領域Ｒ２が設けられているため、当該非着色領域Ｒ２では、尿の跡が着色部８０によって隠蔽されにくい。よって、使用者は、排尿がペット用吸収性シート１０になされたか否かをも容易に把握できる。
【００３９】
非着色領域Ｒ２は、吸収体２０の第１方向Ｄ１の中心２０ＬＣを跨いでよい。吸収体２０の第１方向Ｄ１の中心２０ＬＣに非着色領域Ｒ２が設けられている。非着色領域Ｒ２が目立ちやすくなり、使用者は、非着色領域Ｒ２を容易に把握し、シートの交換時期をより容易に把握できる。
【００４０】
非着色領域Ｒ２の第１方向Ｄ１の長さＬ２は、着色部８０の第１方向Ｄ１の長さＬ８０よりも長くてよい。着色部の第１方向Ｄ１の長さよりも非着色領域Ｒ２の第１方向Ｄ１の長さが長いため、着色部８０間の間隔と非着色領域Ｒ２を区別し易くなる。よって、非着色領域Ｒ２によって両側の着色領域Ｒ１を分断する効果をより得やすい。なお、寸法が異なる複数の着色部８０を有する構成にあっては、着色部８０の第１方向Ｄ１の長さは、第１方向Ｄ１の長さが最も長い着色部８０の長さとする。
【００４１】
非着色領域Ｒ２の第１方向Ｄ１の長さＬ２は、各着色領域Ｒ１の第１方向Ｄ１の長さＬ１よりも長くてよい。非着色領域Ｒ２の第１方向Ｄ１の長さＬ２が着色領域Ｒ１の第１方向Ｄ１の長さＬ１よりも長いため、非着色領域Ｒ２によって各着色領域Ｒ１を区別する効果をより得やすい。
【００４２】
吸収体２０の第１方向Ｄ１の中心２０ＬＣに対する一方側に配置された着色領域Ｒ１の第１方向の長さＬ１と、中心２０ＬＣに対する他方側に配置された着色領域Ｒ１の第１方向Ｄ１の長さＬ１と、は異なっていてもよい。各着色領域Ｒ１を区別し易くなり、両側の着色領域Ｒ１を比較し易くなる。よって、使用者は、一方の着色領域Ｒ１のみが使用され、向きを変える作業を行うべきであるのか、両方の着色領域Ｒ１が使用され、交換作業を行うべきであるのかを容易に把握できる。
【００４３】
吸収体２０と重なる領域には、着色領域Ｒ１の第１方向Ｄ１の外側において、吸収体２０の第２方向Ｄ２の全域に亘って着色部８０が配置されていない第２非着色領域Ｒ３が設けられてよい。着色領域Ｒ１を挟んだ両側に、非着色領域Ｒ２と第２非着色領域Ｒ３が設けられる。着色領域Ｒ１の着色部８０がより目立ちやすくなり、両側の着色領域Ｒ１の対比をより行い易くなる。
【００４４】
第２非着色領域Ｒ３の第１方向Ｄ１の長さＬ３は、着色領域Ｒ１の第１方向Ｄ１の長さＬ１よりも短くてよい。着色領域Ｒ１を目立たせることができ、使用者は、両側の着色領域Ｒ１を比較し易くなる。よって、使用者は、一方の着色領域Ｒ１のみが使用され、向きを変える作業を行うべきであるのか、両方の着色領域Ｒ１が使用され、交換作業を行うべきであるのかを容易に把握できる。
【００４５】
着色部８０は、第１色によって着色された第１着色部８０Ａと、第１色と異なる第２色によって着色された第２着色部８０Ｂと、を有してよい。具体的には、ペット図柄は、第１色によって着色された第１ペット図柄８１Ａと、第２色によって着色された第２ペット図柄８１Ｂと、を有してよい。また、補助図柄８４は、第１色によって着色された第１補助図柄８４Ａと、第２色によって着色された第２補助図柄８４Ｂと、を有してよい。第１着色部８０Ａは、第１ペット図柄８１Ａと、第１補助図柄８４Ａと、を有する。第２着色部８０Ｂは、第２ペット図柄８１Ｂと、第２補助図柄８４Ｂと、を有する。すなわち、第１ペット図柄８１Ａと第１補助図柄８４Ａは、同じ色によって着色されている。また、第２ペット図柄８１Ｂと第２補助図柄８４Ｂは、同じ色によって着色されている。なお、第１ペット図柄８１Ａと第１補助図柄８４Ａは、主に第１色によって着色されていればよく、第１色以外の色によって部分的に着色されていてもよい。同様に、第２ペット図柄８１Ｂと第２補助図柄８４Ｂは、主に第２色によって着色されていればよく、第２色以外の色によって部分的に着色されていてもよい。主となる色で着色された状態とは、図柄の９０％以上を主となる色で着色された状態である。
【００４６】
一方の着色領域Ｒ１における第１着色部８０Ａに対する第２着色部８０Ｂの面積比率は、他方の着色領域Ｒ１における第１着色部８０Ａに対する第２着色部８０Ｂの面積比率と異なってよい。具体的には、第１ペット図柄８１Ａと第１補助図柄８４Ａを合わせた着色部を第１着色部８０Ａとし、第２ペット図柄８１Ｂと第２補助図柄８４Ｂを合わせた着色部を第２着色部８０Ｂとし、面積比率を比較してよい。一方の着色領域Ｒ１と他方の着色領域Ｒ１とで第１着色部８０Ａに対する第２着色部８０Ｂの面積比率が異なるため、使用者は、色の構成比率の違いによって一方の着色領域と他方の着色領域を区別でき、両側の着色領域の対比を行い易くなる。
【００４７】
好適には、一方の着色領域Ｒ１における第１着色部８０Ａの面積は、他方の着色領域Ｒ１における第１着色部の面積と異なってよい。一方の着色領域Ｒ１における第１ペット図柄８１Ａの面積の合計は、他方の着色領域Ｒ１における第１ペット図柄８１Ａの面積の合計と異なってよく、一方の着色領域Ｒ１における第２ペット図柄８１Ｂの面積の合計は、他方の着色領域Ｒ１における第２ペット図柄８１Ｂの面積の合計と異なってよい。同様に、一方の着色領域Ｒ１における第１補助図柄８４Ａの面積の合計は、他方の着色領域Ｒ１における第１補助図柄８４Ａの面積の合計と異なってよく、一方の着色領域Ｒ１における第２補助図柄８４Ｂの面積の合計は、他方の着色領域Ｒ１における第２補助図柄８４Ｂの面積の合計と異なってよい。このような構成によっても、一方の着色領域と他方の着色領域とで図柄が異なるため、使用者は、図柄の違いによって一方の着色領域と他方の着色領域を区別でき、両側の着色領域の対比を行い易くなる。
【００４８】
一方の着色領域Ｒ１における第１着色部８０Ａの数は、他方の着色領域Ｒ１における第１着色部８０Ａの数と異なってよい。また、一方の着色領域Ｒ１における第２着色部８０Ｂの数は、他方の着色領域Ｒ１における第２着色部８０Ｂの数と異なってよい。好適には、一方の着色領域Ｒ１における第１ペット図柄８１Ａの数は、他方の着色領域Ｒ１における第１ペット図柄８１Ａの数と異なってよく、一方の着色領域Ｒ１における第２ペット図柄８１Ｂの数は、他方の着色領域Ｒ１における第２ペット図柄８１Ｂの数と異なってよい。同様に、一方の着色領域Ｒ１における第１補助図柄８４Ａの数は、他方の着色領域Ｒ１における第１補助図柄８４Ａの数と異なってよく、一方の着色領域Ｒ１における第２補助図柄８４Ｂの数は、他方の着色領域Ｒ１における第２補助図柄８４Ｂの数と異なってよい。このような構成によっても、一方の着色領域と他方の着色領域とで図柄が異なるため、使用者は、図柄の違いによって一方の着色領域と他方の着色領域を区別でき、両側の着色領域の対比を行い易くなる。
【００４９】
一方の着色領域Ｒ１の着色部と、一方の着色部を通り、かつ第１方向に沿って延びる任意の直線ＦＬ上に配置された他方の着色領域Ｒ１の着色部と、は、色又は形状の少なくとも一方が異なってよい。使用者が一方の着色領域Ｒ１と他方の着色領域Ｒ１を比較する際は、第１方向Ｄ１に視線を動かして、一方の着色領域Ｒ１と他方の着色領域Ｒ１を交互に視認する。このとき、第１方向に隣り合う着色部が異なるため、使用者は、着色部の色や形状の違いによって一方の着色領域と他方の着色領域を区別でき、両側の着色領域の対比を行い易くなる。
【００５０】
具体的には、図１に示すように、第１方向に沿って延びる任意の直線ＦＬ１上には、一方の着色領域Ｒ１（図１に示す下側に位置する着色領域Ｒ１）の第１ペット図柄８１Ｂと、他方の着色領域Ｒ１（図１に示す上側に位置する着色領域Ｒ１）の第１ペット図柄８１Ｂと、が配置されている。これらの図柄は、色は同じであるが、その形状が異なっている（一方側の図柄は、座った状態の猫であり、他方側の図柄は、寝転んだ状態の猫である）。また、第１方向に沿って延びる任意の直線ＦＬ２上には、一方の着色領域Ｒ１の第２ペット図柄８１Ａと、他方の着色領域Ｒ１の第１ペット図柄８１Ｂと、が配置されている。これらの図柄は、色が異なるとともに、その形状が異なっている。
【００５１】
第１色は、第２色は、異なる色であればよく、特に限定されない。第１色と第２色の異なる程度は、オストワルト色相環によって分類された２４色の色票で２以上ずれているものであってよい。
【００５２】
また、好適には、第１色は、緑色系の色であってよく、第２色は、紫色系の色であってよい。すなわち、第１着色部８０Ａを構成する第１ペット図柄８１Ａと第１補助図柄８４Ａは、緑色系の第１色によって着色されてよく、第２着色部８０Ｂを構成する第２ペット図柄８１Ｂと第２補助図柄８４Ｂは、紫色系の第２色によって着色されてよい。一般的に、ペットが健康な状態における尿の色は、黄色系であり、ペットが不健康な状態の尿の色は、赤色系である。緑色系の第１着色部８０Ａと紫色系の第２着色部８０Ｂは、いずれも黄色系及び赤色系に対して区別して認識され易い。よって、使用者は、着色部８０と尿とを区別して認識し易く、着色部８０が尿の跡であると誤認することを抑制できる。そのため、使用者は、使用前のペット用吸収性シートを使用後のペット用吸収性シートであると誤認し難くなる。
【００５３】
また、使用者は、尿と着色部８０を区別して認識し易いため、着色部８０に着目できる。着色部８０によってペット用吸収性シートのデザイン性を向上させることができる。また、着色部８０を目立たせることによって、相対的に尿を目立たせなくして、尿の跡をカモフラージュして、尿の隠蔽性を向上させることができる。
【００５４】
ここで、健康な状態の尿の色は、ＲＧＢ表色系に基づくＲの値が２３６~２５５、Ｇの値が２０８~２４１、及びＢの値が２９~８６の範囲にある色である。また、不健康な状態の尿の色は、ＲＧＢ表色系に基づくＲの値が２１３~２２３、Ｇの値が８４~８９、及びＢの値が５３~６９の範囲にある色である。
【００５５】
第１着色部８０Ａは、ＲＧＢ表色系に基づくＲの値が０~１２８、Ｇの値が１６５~１９１、及びＢの値が９０~１１３の範囲にある色であってよい。第１着色部は、Ｒの値、Ｇの値、及びＢの値共に、健康な尿の色及び不健康な尿の色の値と重複してなく、尿に対して区別し易い。
【００５６】
第２着色部８０Ｂは、ＲＧＢ表色系に基づくＲの値が１２７~１８６、Ｇの値が６５~９１、及びＢの値が１３６~１５１の範囲にある色であってよい。第２着色部は、Ｒの値及びＢの値共に、健康な尿の色及び不健康な尿の色の値と重複してなく、尿に対して区別し易い。
【００５７】
これらのＲＧＢの値は、たとえば、市販の色彩計を用いることで計測することができる。本発明における着色部の色は、着色されたシートそのもの色ではなく、表面シートを介して視認した状態の色であり、ＲＧＢの値を測定する際は、ペット用吸収性シートの表面側から測定する。
【００５８】
上記のＲＧＢの値の範囲に入る第１色、第２色、健康な状態の尿の色、及び不健康な状態の尿の色を用いて、白色基準版に対する色差を測定した。色差は、白色基準板に対する（L*a*b*）色空間のΔＬ、Δａ及びΔｂである。測定結果を表１に示す。白色基準板に対する色差は、白色基準板のlab値と対象サンプルのlab値をそれぞれ測定して算出できる。白色基準板は、（X93.19、Y95.20、Z112.28）でlab０に設定する。色差測定器は、例えば、Konica Minolta社製 CR-300を用いることができ、測定機器の光源としては、C光源(国際照明委員会(CIE)の規格)を用いることができる。測定機器の測定窓の直径は、４０ｍｍである。ここでLは、明るさを指標する値であり、ａ、ｂは、色度の平面座標である。白色基準板のLab値をL0、a0、b0とし、対象サンプルのL1、a1、b1とすると、ΔＬ＝L0-L1、Δa＝a0- a1、Δb＝b0- b1によって算出できる。
【表１】
2020028230.tif 000003
【００５９】
着色部８０は、デザインの輪郭に沿って配置され、着色部８０によって囲まれた領域に、非着色部８５が設けられてよい。具体的には、ペット図柄８１は、猫の輪郭に沿って配置されており、補助図柄８４は、蝶の輪郭に沿って配置されている。当該輪郭を構成する着色部８０によって囲まれた領域に、非着色部８５が設けられている。非着色部８５に排尿された場合に、尿と着色部８０を比較することができる。また、非着色部８５を囲んで着色部８０が配置されているため、尿の広がり具合を着色部８０によって把握することができる。よって、尿の量を把握することによってもペットの健康状態を把握できる。
【００６０】
図３に示すように、第１ペット図柄８１Ａと重なる領域又は近傍に、第２補助図柄８４Ｂが配置され、第２ペット図柄８１Ｂと重なる領域又は近傍に、第１補助図柄８４Ａが配置されてよい。ここで、近傍に配置された状態とは、２つの図柄の距離が１０ｍｍ以下の状態である。第１ペット図柄８１Ａと第２補助図柄８４Ｂが近接して配置され、かつ第２ペット図柄８１Ｂと第１補助図柄８４Ａが近接して配置されているため、第１着色部８０Ａ及び第２着色部８０Ｂの両方と尿を比較することができる。よって、健康な状態及び不健康な状態を把握し易い。
【００６１】
また、使用者は、第１ペット図柄８１Ａ及び第２ペット図柄８１Ｂを視認して、使用対象のペットを把握できる。よって、複数種類のペットがいる場合であっても、対象であるペットを把握し易い。対象となるペット毎に健康な状態の尿の色や不健康な状態の尿の色が異なる場合であっても、対象となるペットを把握することで、ペット毎に健康状態を適切に把握し易い。
【００６２】
加えて、ペット図柄８１と補助図柄８４が一体化して設けられているため、デザイン性を高め、尿の隠蔽効果をより高めることができる。好適には、第１ペット図柄８１Ａと第２補助図柄８４Ｂを組み合わせた第１集合体と、第２ペット図柄８１Ｂと第１補助図柄８４Ａを組み合わせた第２集合体と、の距離Ｌ１３は、第１ペット図柄８１Ａと第２補助図柄８４Ｂの距離Ｌ１１よりも長く、第２ペット図柄８１Ｂと第１補助図柄８４Ａの距離Ｌ１２よりも長くてよい。第１ペット図柄８１Ａと第２補助図柄８４Ｂを組み合わせた第１集合体と、第２ペット図柄８１Ｂと第１補助図柄８４Ａを組み合わせた第２集合体と、を認識させ易くなり、ペット図柄８１と補助図柄８４が一体化させることができる。
【００６３】
第１ペット図柄８１Ａの最大寸法は、第２補助図柄８４Ｂの最大寸法よりも大きく、第２ペット図柄８１Ｂの最大寸法は、第１補助図柄の８４Ａの最大寸法よりも大きくてよい。第１ペット図柄８１Ａ及び第２ペット図柄８１Ｂが目立ちやすく、使用者は、使用対象のペットを把握できる。よって、複数種類のペットがいる場合であっても、対象であるペットを把握し、対象となるペットの健康状態を把握し易い。
【００６４】
外周着色部８７は、第１色又は第２色を有してよい。外周着色部８７が第１色又は第２色を有するため、外周着色部８７によって第１着色部８０Ａ又は第２着色部８０Ｂを目立たせることができる。よって、着色部８０による尿の隠蔽効果をより高めることができる。
【００６５】
次いで、図４に基づいて第２実施形態に係るペット用吸収性シート１０Ｘを説明する。図４は、第２実施形態に係るペット用吸収性シートの排泄面側から見た平面図である。なお、第２実施形態の説明において、上述の第１実施形態と同様の構成については、同符号を用いて説明を省略する。
【００６６】
第２実施形態の着色部８０Ｘは、ペット図柄８１１を有し、補助図柄を有しない。使用者は、ペット図柄８１１を視認することにより、使用対象のペットを容易に把握できる。また、補助図柄がないため、ペット図柄８１１を目立たせることができ、使用対象を認識させ易い。
【００６７】
ペット図柄８１１は、第１色で着色された第１ペット図柄８１１Ａと、第２色で着色された第２ペット図柄８１１Ｂと、を有する。第１ペット図柄８１１Ａと第２ペット図柄８１１Ｂは、輪郭のみならず、塗りつぶしされた図柄である。ペット図柄がより目立ちやすく、使用者は、両側の着色領域を比較し易くなる。よって、使用者は、一方の着色領域のみが使用され、向きを変える作業を行うべきであるのか、両方の着色領域が使用され、交換作業を行うべきであるのかを容易に把握できる。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６９】
使用者が排尿された領域と排尿されていない領域を容易に区別でき、シートの交換時期を把握し易いペット用吸収性シートを提供できる。
【符号の説明】
【００７０】
１０、１０Ｘ    ：ペット用吸収性シート
１２    ：表面シート
１４    ：裏面シート
２０    ：吸収体
３０    ：吸収コア
３３    ：コアラップ
８０、８０Ｘ    ：着色部
８０Ａ    第１着色部
８０Ｂ    第２着色部
８１、８１１    ：ペット図柄
８１Ａ、８１１Ａ  ：第１ペット図柄（第１着色部）
８１Ｂ、８１１Ｂ  ：第２ペット図柄（第２着色部）
８４    ：補助図柄
８４Ａ  ：第１補助図柄（第１着色部）
８４Ｂ  ：第２補助図柄（第２着色部）
Ｒ１    ：着色領域
Ｒ２    ：非着色領域
Ｒ３    ：第２非着色領域
Ｔ      ：厚さ方向
Ｔ１    ：表面側
Ｔ２    ：裏面側
Ｄ１      ：第１方向
Ｄ２      ：第２方向
【図１】
2020028230.tif 000004
【図２】
2020028230.tif 000005
【図３】
2020028230.tif 000006
【図４】
2020028230.tif 000007
【手続補正書】
【提出日】平成30年8月22日(2018.8.22)
【手続補正１】
【補正対象書類名】明細書
【補正対象項目名】００２５
【補正方法】変更
【補正の内容】
【００２５】
図１は、第１実施形態に係るペット用吸収性シートの排泄面側から見た状態の平面図である。図２は、図１に示すＡ−Ａ線に沿ったペット用吸収性シートの模式的断面図である。図３は、図１のＢ部分の拡大平面図である。ペット用吸収性シート１０は、概して平坦なシートである。ペット用吸収性シート１０の一方の面は、ペットの排泄物を受ける排泄面である。本実施の形態においては、排泄面を構成する面を表面１０１とし、非排泄面を構成する面を裏面１０２として説明する。図２において、厚さ方向Ｔにおける表面側Ｔ１と裏面側Ｔ２を示す。